(57)【要約】【課題】潤滑性能が高く、且つ安価な潤滑油を提供することを目的とする。【解決手段】本発明の潤滑油は、基油と、前記基油に分散されたセルロースナノファイバーとを含むことを特徴とする。前記セルロースナノファイバーの表面の少なくとも一部がカルボキシ基で修飾されているとよい。前記カルボキシ基の対イオンとしてオニウムイオンを更に含むとよい。前記オニウムイオンとしてはアンモニウムイオンが好ましい。前記セルロースナノファイバーの平均繊維幅としては１ｎｍ以上５００ｎｍ以下が好ましい。【選択図】なし【特許請求の範囲】
【請求項１】
基油と、
前記基油に分散されたセルロースナノファイバーと
を含むことを特徴とする潤滑油。
【請求項２】
前記セルロースナノファイバーの表面の少なくとも一部がカルボキシ基で修飾されている請求項１に記載の潤滑油。
【請求項３】
前記カルボキシ基の対イオンとしてオニウムイオンを更に含む請求項２に記載の潤滑油。
【請求項４】
前記オニウムイオンがアンモニウムイオンである請求項３に記載の潤滑油。
【請求項５】
前記セルロースナノファイバーの平均繊維幅が１ｎｍ以上５００ｎｍ以下である請求項１から請求項４のいずれか１項に記載の潤滑油。
【請求項６】
前記セルロースナノファイバーの含有量が０．０１質量％以上３０質量％以下である請求項１から請求項５のいずれか１項に記載の潤滑油。
【請求項７】
前記基油に分散されたカーボンナノチューブを更に含む請求項１から請求項６のいずれか１項に記載の潤滑油。
【請求項８】
前記カーボンナノチューブの表面の少なくとも一部が極性基で修飾されている請求項７に記載の潤滑油。
【請求項９】
前記極性基が、水酸基、カルボニル基及びカルボキシ基からなる群より選択される少なくとも１種である請求項８に記載の潤滑油。
【請求項１０】
前記カーボンナノチューブの平均直径が０．０１ｎｍ以上５００ｎｍ以下である請求項７から請求項９のいずれか１項に記載の潤滑油。
【請求項１１】
前記カーボンナノチューブが多層カーボンナノチューブである請求項７から請求項１０のいずれか１項に記載の潤滑油。
【請求項１２】
前記カーボンナノチューブの含有量が０．０１質量％以上３０質量％以下である請求項７から請求項１１のいずれか１項に記載の潤滑油。
【請求項１３】
前記セルロースナノファイバーの前記カーボンナノチューブに対する含有量比が、質量比で１／１０以上１０／１以下である請求項７から請求項１２のいずれか１項に記載の潤滑油。
【請求項１４】
前記基油の主成分が鉱物油である請求項１から請求項１３のいずれか１項に記載の潤滑油。
【発明の詳細な説明】
【技術分野】
【０００１】
本発明は、潤滑油に関するものである。
【背景技術】
【０００２】
カーボンナノチューブ（以下、「ＣＮＴ」ともいう）は、摺動材として優れているため、潤滑油の添加剤として用いると、潤滑性能を向上させることができる（下記特許文献１等参照）。
【先行技術文献】
【特許文献】
【０００３】
【特許文献１】特開２０１４−２２４２２５号公報
【発明の概要】
【発明が解決しようとする課題】
【０００４】
しかし、ＣＮＴを摺動材とする潤滑油は、高価なＣＮＴを用いるため安価に提供することが困難であった。また、潤滑油の添加剤として、ＣＮＴと同等以上に摺動性に優れ、且つ安価に提供できる摺動材は検討されていなかった。
【０００５】
そこで、本発明においては、潤滑性能が高く、且つ安価な潤滑油を提供することを目的とする。
【課題を解決するための手段】
【０００６】
（１）  本発明の潤滑油は、基油と、前記基油に分散されたセルロースナノファイバー（以下、「ＣＮＦ」ともいう）とを含むことを特徴とする。
【０００７】
前記（１）の潤滑油によれば、ＣＮＴと同等以上に摺動性に優れるＣＮＦを摺動材として用いるため、潤滑性能を高めることができる。また、ＣＮＦはＣＮＴより安価であるため、前記（１）の潤滑油によれば安価に提供できる。
【０００８】
（２）  前記（１）の潤滑油において、前記ＣＮＦの表面の少なくとも一部がカルボキシ基で修飾されていることが好ましい。この構成の場合、ＣＮＦの基油への分散性を向上させることができるため、潤滑性能を安定して発揮させることができる。なお、カルボキシ基で修飾される場合としては、ＣＮＦ表面にカルボキシ基が付加される場合だけでなく、ＣＮＦ表面の活性点（欠陥）への酸素原子の付加によりカルボニル基が形成された後、このカルボニル基への水酸基の付加によりカルボキシ基が形成される場合も含む。
【０００９】
（３）  前記（２）の潤滑油において、前記カルボキシ基の対イオンとしてオニウムイオンを更に含むことが好ましい。この構成の場合、ＣＮＦの基油への分散性をより向上させることができるため、潤滑性能をより安定して発揮させることができる。
【００１０】
（４）  前記（３）の潤滑油において、前記オニウムイオンがアンモニウムイオンであることが好ましい。この構成の場合、ＣＮＦの基油への分散性を更に向上させることができるため、潤滑性能を更に安定して発揮させることができる。
【００１１】
（５）  前記（１）から（４）の潤滑油において、前記ＣＮＦの平均繊維幅が１ｎｍ以上５００ｎｍ以下であることが好ましい。ＣＮＦの平均繊維幅を１ｎｍ以上とすることにより、ＣＮＦの摺動性が高まるため、潤滑性能を向上させることができる。また、ＣＮＦの平均繊維幅を５００ｎｍ以下とすることにより、基油中におけるＣＮＦの沈殿を抑制できるため、潤滑性能を安定して発揮させることができる。なお、前記「平均繊維幅」は、電子顕微鏡で観察されるＣＮＦの単体の繊維幅の平均値であり、例えば電子顕微鏡で任意に１０個のＣＮＦの単体を選択し、これらのＣＮＦの繊維幅を平均した値である。
【００１２】
（６）  前記（１）から（５）の潤滑油において、前記ＣＮＦの含有量が０．０１質量％以上３０質量％以下であることが好ましい。ＣＮＦの含有量を０．０１質量％以上とすることにより、潤滑性能を向上させることができる。また、ＣＮＦの含有量を３０質量％以下とすることにより、基油中におけるＣＮＦの沈殿を抑制できるため、潤滑性能を安定して発揮させることができる。
【００１３】
（７）  前記（１）から（６）の潤滑油において、前記基油に分散されたカーボンナノチューブ（ＣＮＴ）を更に含むことが好ましい。ＣＮＴは摺動材として優れているため、ＣＮＦと併用することにより潤滑性能を向上させることができる。
【００１４】
（８）  前記（７）の潤滑油において、前記ＣＮＴの表面の少なくとも一部が極性基で修飾されていることが好ましい。この構成の場合、ＣＮＴの基油への分散性を向上させることができるため、潤滑性能を安定して発揮させることができる。
【００１５】
（９）  前記（８）の潤滑油において、前記極性基が、水酸基、カルボニル基及びカルボキシ基からなる群より選択される少なくとも１種であることが好ましい。この構成の場合、ＣＮＴの基油への分散性をより向上させることができるため、潤滑性能をより安定して発揮させることができる。なお、カルボニル基で修飾される場合としては、ＣＮＴ表面にカルボニル基が付加される場合だけでなく、ＣＮＴ表面の活性点（欠陥）への酸素原子の付加によりカルボニル基が形成される場合も含む。また、カルボキシ基で修飾される場合としては、ＣＮＴ表面にカルボキシ基が付加される場合だけでなく、ＣＮＴ表面の活性点（欠陥）への酸素原子の付加によりカルボニル基が形成された後、このカルボニル基への水酸基の付加によりカルボキシ基が形成される場合も含む。
【００１６】
（１０）  前記（７）から（９）の潤滑油において、前記ＣＮＴの平均直径が０．０１ｎｍ以上５００ｎｍ以下であることが好ましい。ＣＮＴの平均直径を０．０１ｎｍ以上とすることにより、ＣＮＴの摺動性が高まるため、潤滑性能を向上させることができる。また、ＣＮＴの平均直径を５００ｎｍ以下とすることにより、基油への分散性をより向上させることができるため、潤滑性能を安定して発揮させることができる。なお、前記「平均直径」は、電子顕微鏡で観察されるＣＮＴの単体の直径の平均値であり、例えば電子顕微鏡で任意に１０個のＣＮＴの単体を選択し、これらのＣＮＴの直径を平均した値である。
【００１７】
（１１）  前記（７）から（１０）の潤滑油において、前記ＣＮＴが多層ＣＮＴであることが好ましい。この構成によれば、ＣＮＴの摺動性が高まるため、潤滑性能をより向上させることができる。なお、前記「多層ＣＮＴ」とは、グラファイト層を２層以上重ねて筒状に巻いた構造を有するＣＮＴを指す。
【００１８】
（１２）  前記（７）から（１１）の潤滑油において、前記ＣＮＴの含有量が０．０１質量％以上３０質量％以下であることが好ましい。ＣＮＴの含有量を０．０１質量％以上とすることにより、潤滑性能を向上させることができる。また、ＣＮＴの含有量を３０質量％以下とすることにより、基油中におけるＣＮＴの沈殿を抑制できるため、潤滑性能を安定して発揮させることができる。
【００１９】
（１３）  前記（７）から（１２）の潤滑油において、前記ＣＮＦの前記ＣＮＴに対する含有量比が、質量比で１／１０以上１０／１以下であることが好ましい。この構成によれば、潤滑性能をより向上させることができる。
【００２０】
（１４）  前記（１）から（１３）の潤滑油において、前記基油の主成分が鉱物油であることが好ましい。この構成によれば、より安価に潤滑油を提供できる。なお、前記「主成分」とは、最も含有量の多い成分であり、例えば含有量が５０質量％以上の成分を指す。
【発明の効果】
【００２１】
本発明の潤滑油によれば、潤滑性能が高く、且つ安価な潤滑油を提供することができる。
【発明を実施するための形態】
【００２２】
以下、本発明の好適な実施形態について説明する。
【００２３】
＜潤滑油＞
本発明の一実施形態に係る潤滑油は、基油と、前記基油に分散されたＣＮＦとを含むことを特徴とする。本実施形態の潤滑油によれば、ＣＮＴと同等以上に摺動性に優れるＣＮＦを摺動材として用いるため、潤滑性能を高めることができる。また、ＣＮＦはＣＮＴより安価であるため、本実施形態の潤滑油によれば安価に提供できる。本実施形態の潤滑油は、例えば自動車（四輪車、二輪車、トラクター等の農機、パワーショベル等の建機などの種々の車両を包含する。以下同じ。）用、船用、各種機械（建設機械、工作機械等）用の潤滑油として使用可能である。具体例を挙げると、自動車用潤滑油としては、エンジンオイル、ギヤオイル、自動車用グリース等が挙げられる。ギヤオイルとしては、例えば、パワーステアリングフルード、トランスミッションオイル、オートマチックトランスミッションオイル、ディファレンシャルオイル等が挙げられる。自動車用グリースとしては、例えば、ホイールベアリンググリース、ウォーターポンプグリース、シャシーグリース等が挙げられる。船用潤滑油としては、船用エンジン油、シリンダー油等が挙げられる。また、各種機械用潤滑油としては、特に限定されないが、冷凍機油、食品製造用機械油、エアコンプレッサ油、真空ポンプ油、チェーンソーオイル、摺動面油、工業用ギヤオイル、工業用グリース等が挙げられる。以下、本実施形態に係る潤滑油の構成成分について説明する。
【００２４】
（ＣＮＦ）
ＣＮＦは、摺動材として用いられる成分である。このＣＮＦの原料であるセルロース繊維としては、例えば機械パルプ、化学パルプ、セミケミカルパルプ等の木材パルプ、具体的にはクラフト木材パルプ、竹繊維、加水分解済みクラフト木材パルプ、亜硫酸木材パルプ等をはじめ、古紙、バクテリアセルロース、バロニアセルロース、ホヤセルロース、綿セルロース、麻セルロース、これらの混合物などを用いることができる。
【００２５】
ＣＮＦの製造方法としては、後述する基油に分散可能なＣＮＦが得られる方法であれば特に限定されず、例えば上記例示した原料（セルロース繊維）を物理的、化学的に処理する方法が挙げられる。物理的処理方法としては、例えばセルロース繊維を機械的に解繊する方法が挙げられ、具体的にはセルロース繊維を含む水懸濁液又はスラリーを、リファイナー、高圧ホモジナイザー、グラインダー、一軸又は多軸混練機、ビーズミル等によって摩砕ないし叩解することにより解繊する方法が例示できる。
【００２６】
また、セルロース繊維の化学的処理によってＣＮＦを得る方法としては、例えば２，２，６，６−テトラメチル−１−ピペリジニルオキシラジカル（ＴＥＭＰＯ）をはじめとするＮ−オキシル化合物を触媒とした酸化反応を用いてセルロース繊維を処理する方法が挙げられる。この方法で得られた酸化セルロースは、液中での軽度な分散処理により均質なＣＮＦの分散体となる。
【００２７】
本実施形態で用いられるＣＮＦの表面の少なくとも一部は、カルボキシ基で修飾されていることが好ましい。この場合、ＣＮＦの基油への分散性を向上させることができるため、潤滑性能を安定して発揮させることができる。
【００２８】
ＣＮＦの表面をカルボキシ基で修飾する方法としては、例えば上述した酸化反応を用いてセルロース繊維を処理する方法が挙げられ、具体的には特開２０１５−１０１６９４号公報に記載のＴＥＭＰＯ酸化法が例示できる。
【００２９】
表面の少なくとも一部がカルボキシ基で修飾されているＣＮＦを用いる場合、本実施形態の潤滑油は、上記カルボキシ基の対イオンとしてオニウムイオンを更に含むことが好ましい。この場合、ＣＮＦの基油への分散性をより向上させることができるため、潤滑性能をより安定して発揮させることができる。
【００３０】
上記オニウムイオンとしては、アンモニウムイオン、ホスホニウムイオン、オキソニウムイオン、スルホニウムイオン、フルオロニウムイオン、クロロニウムイオン等が挙げられる。なかでもアンモニウムイオンを用いると、ＣＮＦの基油への分散性を更に向上させることができるため、潤滑性能を更に安定して発揮させることができる。なお、オニウムイオンの導入方法としては、公知の方法が使用でき、例えば特開２０１５−１０１６９４号公報に記載の方法が使用できる。
【００３１】
ＣＮＦの平均繊維幅としては、潤滑性能をより向上させる観点から１ｎｍ以上が好ましく、２ｎｍ以上がより好ましい。また、基油中におけるＣＮＦの沈殿を抑制し、潤滑性能を安定して発揮させる観点から、ＣＮＦの平均繊維幅としては、５００ｎｍ以下が好ましく、２００ｎｍ以下がより好ましい。
【００３２】
潤滑油中のＣＮＦの含有量としては、潤滑性能をより向上させる観点から０．０１質量％以上が好ましく、０．１質量％以上がより好ましい。また、基油中におけるＣＮＦの沈殿を抑制し、潤滑性能を安定して発揮させる観点から、潤滑油中のＣＮＦの含有量としては、３０質量％以下が好ましく、１０質量％以下がより好ましい。
【００３３】
（ＣＮＴ）
本実施形態の潤滑油は、潤滑性能を向上させる観点から、摺動材としてＣＮＴを更に含んでいてもよい。このＣＮＴは、後述する基油に分散可能である限り、その製法等について特に限定されないが、表面の少なくとも一部が極性基で修飾されているＣＮＴが好ましい。表面の少なくとも一部が極性基で修飾されているＣＮＴによれば、基油への分散性を向上させることができる。これにより、潤滑性能を安定して発揮させることができる。
【００３４】
上記極性基としては、水酸基、カルボニル基及びカルボキシ基からなる群より選択される少なくとも１種であることが好ましい。この場合、ＣＮＴの基油への分散性をより向上させることができるため、潤滑性能をより安定して発揮させることができる。
【００３５】
ＣＮＴの表面に極性基を導入する方法は、特に限定されず、例えば特開２０１４−１５３８７号公報等に記載の公知の方法を採用できる。より具体的には、まず、ＣＮＴ粉末と硫酸とを少量ずつ所定の割合で混合撹拌し、混合液を生成する（工程１）。続いて、この混合液に所定の割合で硝酸を混合し撹拌する（工程２）。その後、十分に煮沸するまで該混合液を加熱した（工程３）後、加熱を止め、冷却する（工程４）。続いて、該混合液をｐＨ１２〜１３のアルカリ水溶液で希釈してｐＨ値を調整した（工程５）後、更に大気中において冷却する（工程６）。冷却後、該混合液をろ過して、ろ過水を取り出す（工程７）。そして、取り出したろ過水（混合液）を水で希釈する（工程８）。ここで、工程７及び工程８については、更に１回以上繰り返してもよい。続いて、希釈した混合液を遠心分離機により遠心分離させた（工程９）後、上澄み液に対して超音波洗浄機により超音波照射しながらろ過する（工程１０）。ここで、工程９及び工程１０については、それぞれ更に１回以上繰り返してもよく、工程９及び工程１０のいずれか一方のみを更に１回以上繰り返してもよい。続いて、得られたろ過水を水で希釈して所定の濃度に調整することで、表面に極性基が導入されたＣＮＴの分散液を得ることができる。
【００３６】
ＣＮＴの平均直径としては、潤滑性能をより向上させる観点から、０．０１ｎｍ以上が好ましく、０．１ｎｍ以上がより好ましく、１ｎｍ以上が更に好ましい。また、基油への分散性をより向上させる観点から、ＣＮＴの平均直径としては、５００ｎｍ以下が好ましく、１００ｎｍ以下がより好ましく、５０ｎｍ以下が更に好ましい。
【００３７】
本実施形態で用いられるＣＮＴとしては、多層ＣＮＴが好ましい。多層ＣＮＴを用いると、潤滑性能をより向上させることができる。
【００３８】
本実施形態の潤滑油がＣＮＴを含有する場合、潤滑油中のＣＮＴの含有量としては、潤滑性能をより向上させる観点から０．０１質量％以上が好ましく、０．１質量％以上がより好ましい。また、基油中におけるＣＮＴの沈殿を抑制し、潤滑性能を安定して発揮させる観点から、潤滑油中のＣＮＴの含有量としては、３０質量％以下が好ましく、１０質量％以下がより好ましい。
【００３９】
本実施形態の潤滑油がＣＮＴを含有する場合、ＣＮＦのＣＮＴに対する含有量比（ＣＮＦ／ＣＮＴ）としては、潤滑性能をより向上させる観点から、質量比で１／１０以上１０／１以下が好ましく、１／５以上５／１以下がより好ましい。
【００４０】
（基油）
本実施形態で用いられる基油としては、特に限定されるものではなく、例えば鉱物油、合成油、これらの混合油等が使用できる。使用可能な鉱物油としては、例えば、原油を常圧蒸留及び減圧蒸留して得られた留分を、溶剤脱れき、溶剤抽出、水素化分解、溶剤脱ろう、接触脱ろう、水素化精製、硫酸洗浄、白土処理等の精製処理を適宜組み合わせて精製したパラフィン系鉱物油、ナフテン系鉱物油、これらの混合系炭化水素油などが挙げられる。
【００４１】
また、使用可能な合成油としては、例えば、ポリα−オレフィン、ジエステル、ポリオールエステル、トリメリット酸エステル、リン酸エステル、アルキルベンゼン、アルキルナフタレン、ポリオキシアルキレングリコール、シリコーン油、フッ素油、アルキルフェニルエーテル油、アルキルビフェニル油、ポリフェニルエーテル油等が挙げられる。
【００４２】
本実施形態の潤滑油をより安価に提供する観点から、基油としては鉱物油を主成分として含むものが好ましい。
【００４３】
（他の成分）
本実施形態の潤滑油には、必要に応じて他の成分を添加してもよい。他の成分としては、例えば有機モリブデン化合物（モリブデンジチオカーバメイト、モリブデンジチオホスフェイト、モリブデンアミン錯体等）、二硫化モリブデンなどのモリブデン化合物；ポリテトラフルオロエチレン等のフッ素樹脂からなる樹脂粉末；アルキル芳香族アミン、アルキルフェノール等の無灰系酸化防止剤；アルカリ土類金属を含有する中性又は過塩基性のスルフォネート；コハク酸イミド（ホウ素化物を含む）、コハク酸エステル等の無灰系分散剤；ジアルキルジチオリン酸亜鉛、硫化油脂、硫化オレフィン、ポリサルファイド、リン酸エステル、亜リン酸エステル及びそれらのアミン塩等の耐摩耗剤；流動点降下剤；防錆剤；消泡剤などが挙げられる。なかでも、潤滑性能を向上させる観点からモリブデン化合物が好ましく、有機モリブデン化合物がより好ましい。これらの成分は、１種単独で用いてもよく、複数種を組み合わせて用いてもよい。これらの成分を配合する場合、その配合量は、例えば０．０５質量％以上５質量％以下程度である。
【００４４】
本実施形態の潤滑油の製造方法は、特に限定されず、例えば粉末状のＣＮＦを基油に分散させる方法、ＣＮＦの分散液を基油に加える方法等、いずれの方法であってもよい。また、ＣＮＴを更に含有する潤滑油を製造する場合、ＣＮＴの配合方法についても特に限定されず、例えば粉末状のＣＮＴを基油に分散させる方法、ＣＮＴの分散液を基油に加える方法等、いずれの方法であってもよい。この場合、ＣＮＦとＣＮＴの配合順序についても特に限定されない。
【産業上の利用可能性】
【００４５】
本発明の潤滑油は、潤滑性能が高く、且つ安価な潤滑油として好適である。